(57)【要約】【課題】画像読み取り時のユーザの失敗を低減させる画像読み取りシステムを提供する。【解決手段】画像読み取りシステムはスキャナ機能を有するＭＦＰ（マルチファンクションペリフェラル）と、ネットワークを介してＭＦＰと通信を行なう端末を含む。端末はＭＦＰ装置上でのユーザの過去のスキャン操作における読み取り状況を登録したスキャン履歴情報を有する。ＭＦＰはスキャン操作を開始するユーザのユーザ情報を端末に送信する（Ｓ１２）。端末はＭＦＰから受信したユーザ情報に基いてスキャン履歴情報を参照し、そのユーザの過去の失敗情報を検索する（Ｓ２１）、その検索された失敗情報に応じた情報をＭＦＰに送信する（Ｓ２２）。ＭＦＰは受信した情報に基いてガイダンス表示を行なう（Ｓ１３）。【選択図】　図５
2004104229.tif 000002
【特許請求の範囲】
【請求項１】
画像読み取り装置と、ネットワークを介して該画像読み取り装置と通信を行なう端末装置とを含む画像読み取りシステムであって、
前記端末装置は、画像読み取り装置上でのユーザの過去の画像読み取り操作における読み取り画像の状況を登録した履歴情報格納手段を有し、
前記画像読み取り装置は、画像読み取り操作を開始するユーザのユーザ情報を前記端末装置に送信し、
前記端末装置は、画像読み取り装置から受信したユーザ情報に基いて、そのユーザの過去の画像読み取り操作に対する履歴情報を履歴情報格納手段から検索し、その検索された履歴情報に応じた情報を画像読み取り装置に送信し、
前記画像読み取り装置は、受信した前記履歴情報に応じた情報に応じてガイダンス表示を行なう
ことを特徴とするシステム。
【請求項２】
前記画像読み取り装置は、前記ユーザ情報に加えて、さらに画像読み取り装置を特定する装置情報を前記端末装置に送信し、
前記端末装置は、受信したユーザ情報及び装置情報に基いて、そのユーザのその画像読み取り装置における過去の画像読み取り操作に対する履歴情報を履歴情報格納手段から検索することを特徴とする請求項１記載のシステム。
【請求項３】
画像読み取り装置と、ネットワークを介して該画像読み取り装置と通信を行なう端末装置とを含む画像読み取りシステムを制御するプログラムであって、
前記端末装置に、画像読み取り装置上でのユーザの過去の画像読み取り操作における読み取り画像の状況を登録した履歴情報格納手段を保持させ、
前記画像読み取り装置に、画像読み取り操作を開始するユーザのユーザ情報を前記端末装置に送信させ、
前記端末装置に、画像読み取り装置から受信したユーザ情報に基いて、そのユーザの過去の画像読み取り操作に対する履歴情報を履歴情報格納装置から検索させ、その検索された履歴情報に応じた情報を画像読み取り装置に送信させ、
前記画像読み取り装置に、受信した前記履歴情報に応じた情報に応じてガイダンスを表示させるように、前記画像読み取りシステムを制御することを特徴とするプログラム。
【請求項４】
前記画像読み取り装置に、前記ユーザ情報に加えて、さらに画像読み取り装置を特定する装置情報を前記端末装置に送信させ、
前記端末装置に、受信したユーザ情報及び装置情報に基いて、そのユーザのその画像読み取り装置における過去の画像読み取り操作に対する履歴情報を履歴情報格納手段から検索させるように、前記画像読み取りシステムを制御することを特徴とする請求項３記載のプログラム。
【請求項５】
前記画像読み取り装置において読み取られた画像に対して補正処理を行なうとともに、この補正処理の内容に基き、前記履歴情報格納手段に保持された画像読み取り状況を更新するように、前記画像読み取りシステムを制御することを特徴とする請求項３または４記載のプログラム。
【発明の詳細な説明】
【０００１】
【発明の属する技術分野】
本発明は、原稿から画像を読み取る画像読み取りシステムに関する。
【０００２】
【従来の技術】
近年、ＬＡＮ等のネットワークを介して種々のＯＡ機器が接続され、ＯＡ機器間でネットワークを介したデータのやりとりが可能となっている。ネットワークにはパーソナルコンピュータのような情報処理端末やＭＦＰ（Ｍｕｌｔｉ　Ｆｕｎｃｔｉｏｎ　Ｐｅｒｉｐｈｅｒａｌ）等のＯＡ機器が接続され得る。
【０００３】
そのようなＯＡ環境において、ユーザがＭＦＰで原稿をスキャンし、スキャンした画像（以下「スキャン画像」という。）をネットワークを介して別の情報処理端末に送信するという利用態様がある。
【０００４】
【発明が解決しようとする課題】
しかし、ＭＦＰでスキャンを行なった際に、ＭＦＰ上ではどのような状態でスキャンされたかが確認できない。例えば、天地が逆になってスキャンされたり、傾いてスキャンされたり等、意図していない状態でスキャンされた場合にその状態をＭＦＰ上では確認することができない。
【０００５】
この場合、ユーザはスキャンされた画像を送信先の情報処理端末側で確認して始めてスキャンの状態、すなわち、スキャン画像が適正にスキャンされていないことを知ることになる。
【０００６】
適正なスキャン画像が得られない場合は、再度のスキャンをし直す場合もあり、ユーザにとって余計な作業負担となる。
【０００７】
本発明は上記課題を解決すべくなされたものであり、その目的とするところは、画像読み取り時のユーザの失敗を低減させる画像読み取りシステムを提供することにある。
【０００８】
【課題を解決するための手段】
本発明に係る画像読み取りシステムは、画像読み取り装置と、ネットワークを介して画像読み取り装置と通信を行なう端末装置とを含む。端末装置は、画像読み取り装置上でのユーザの過去の画像読み取り操作における読み取り画像の状況を登録した履歴情報格納手段を有する。画像読み取り装置は、画像読み取り操作を開始するユーザのユーザ情報を前記端末装置に送信する。端末装置は、画像読み取り装置から受信したユーザ情報に基いて、そのユーザの過去の画像読み取り操作に対する履歴情報を履歴情報格納手段から検索し、その検索された履歴情報に応じた情報を画像読み取り装置に送信する。画像読み取り装置は、受信した履歴情報に応じた情報に応じてガイダンス表示を行なう。
【０００９】
画像読み取り装置は、ユーザ情報に加えて、さらに画像読み取り装置を特定する装置情報を端末装置に送信する。端末装置は、受信したユーザ情報及び装置情報に基いて、そのユーザのその画像読み取り装置における過去の画像読み取り操作に対する履歴情報を履歴情報格納手段から検索する。
【００１０】
履歴情報に応じた情報は、ガイダンス表示に対応したコードであってもよい。または、ガイダンスの内容を示す文字列であってもよい。
【００１１】
本発明に係るプログラムは、画像読み取り装置と、ネットワークを介して画像読み取り装置と通信を行なう端末装置とを含む画像読み取りシステムを制御するプログラムである。そのプログラムは以下の機能を実現するように画像読み取りシステムを制御する。
１）端末装置に画像読み取り装置上でのユーザの過去の画像読み取り操作における読み取り画像の状況を登録した履歴情報格納手段を保持させる。
２）画像読み取り装置に画像読み取り操作を開始するユーザのユーザ情報を前記端末装置に送信させる。
３）端末装置に画像読み取り装置から受信したユーザ情報に基いて、そのユーザの過去の画像読み取り操作に対する履歴情報を履歴情報格納装置から検索させ、その検索された履歴情報に応じた情報を画像読み取り装置に送信させる。
４）画像読み取り装置に、受信した履歴情報に応じた情報に応じてガイダンスを表示させる。
【００１２】
さらに、上記のプログラムは、画像読み取り装置において読み取られた画像に対して補正処理を行なうとともに、この補正処理の内容に基き、履歴情報格納手段に保持された画像読み取り状況を更新するように、画像読み取りシステムを制御してもよい。
【００１３】
【発明の実施の形態】
以下添付の図面を参照して、本発明に係る画像読み取りシステムの実施の形態を詳細に説明する。
【００１４】
図１は本発明に係る画像読み取りシステムの構成を示した図である。画像読み取りシステムは、スキャナ、コピー、ＦＡＸ等の種々の機能を統合したＭＦＰ（マルチファンクションペリフェラル）５０と、情報処理端末１０とを含む。ＭＦＰ５０と情報処理端末１０はＬＡＮ等のネットワーク３０を介して接続される。ネットワーク３０には、情報処理端末１０以外の情報処理端末１１及び複数のＭＦＰが接続され得る。
【００１５】
図２は情報処理端末１０の構成図である。情報処理端末１０は、プログラムを実行するＣＰＵ（中央演算処理装置）１００を有しており、このＣＰＵ１００がバス１０１を介して、プログラム及びデータを格納するＲＡＭ（ランダムアクセスメモリ）１０３やＲＯＭ（読み出し専用メモリ）１０５、情報を表示する表示部１１３、キーボードやマウス等からなりユーザが操作を行なう操作部１１１、ネットワーク３０に接続するためのネットワークインタフェース部１１５、及び、機能を拡張するため外部の情報機器と接続するための外部インタフェース部１１７に接続されて構成される。さらに、端末１０は、補助記憶装置としてのハードディスク装置１０７や、情報記録媒体であるＣＤ−ＲＯＭからプログラムやデータの読み込みを行なうための装置であるＣＤドライブ１０９を備える。
【００１６】
図３はＭＦＰ５０の構成図である。ＭＦＰ５０も、情報処理端末と同様にＣＰＵ５００に対してバス５０１を介してＲＡＭ５０３やＲＯＭ５０５、操作部５０６、ハードディスク装置５０７、ネットワークインタフェース部５１９、及び外部インタフェース部１１７、ＣＤドライブ５０９が接続される。さらに、ＭＦＰ５０は、画像のスキャンを行なうスキャナ部５１１と、ＦＡＸの送受信処理を行なうＦＡＸ送受信部５１３と、画像の印刷を行なう印刷部５１５とを有する。
【００１７】
以上のように構成されるＭＦＰ５０、情報処理端末１０の機能は、それらのＣＰＵ１００、５００が、ＲＡＭ１０３、５０３又はＲＯＭ１０５、５０５に格納された所定のプログラムを実行することにより実現される。
【００１８】
図４は、情報処理端末１０に格納される、本システムの機能の実現に必要なデータを示した図である。これらの情報は例えばハードディスク装置１０７に保持される。ユーザ情報２１は本システムを利用可能なユーザのユーザＩＤ、パスワード等のユーザに関する情報を含む。
【００１９】
情報処理端末１０はスキャン履歴情報２３を格納する。スキャン履歴情報２３は、ユーザがＭＦＰ５０上でスキャン操作した際の過去のスキャン状況（結果）を記録した情報であり、ユーザを特定するためのユーザＩＤ２３ａ、ユーザが利用したＭＦＰを識別するためのＭＦＰ識別情報（ＭＦＰ−ＩＤ）２３ｂ、スキャンの状況を示すスキャン状況２３ｃ等の情報からなる。すなわち、スキャン履歴情報２３はユーザのＭＦＰ毎のスキャン状況の履歴を格納する。
【００２０】
また、情報処理端末１０には文書管理ソフト２５がインストールされている。文書管理ソフト２５は画像の天地（上下）や傾きの有無を検出し、それを補正する等の画像処理機能を有する。
【００２１】
次に、本システムにおけるＭＦＰ５０と情報処理端末１０間の処理の流れについて説明する。特に、本システムでは、ＭＦＰ５０上でスキャン操作を開始する前に、ユーザの過去の失敗に基いたガイダンス・メッセージが表示される。ユーザはこのメッセージを参照することにより同じ失敗を繰り返さないよう注意しながらスキャン操作することができる。以下にその処理について図５を用いて詳細に説明する。
【００２２】
ＭＦＰ５０において、ユーザによりユーザＩＤ、パスワードを含むログイン情報が入力され（Ｓ１１）、そのログイン情報がネットワーク３０を介してユーザの認証を行なう所定の情報処理端末１０に送信される（Ｓ１２）。ログイン情報が送信される際には、そのログイン情報に対し送信元のＭＦＰの識別情報（ＭＦＰ−ＩＤ）が付加される。
【００２３】
情報処理端末１１は、受信したログイン情報に基きユーザを特定し、さらにそのユーザが操作を行なっているＭＦＰを特定し、スキャン履歴情報を参照して、そのユーザに関するそのＭＦＰについてのスキャン履歴情報を検索する（Ｓ２１）。そして、検索された履歴情報から送信のための情報（以下「失敗情報」という。）を生成し、送信する。
【００２４】
失敗情報はそのユーザがそのＭＦＰにおいて以前にスキャン操作したときのスキャン画像の状況（例えば、天地が逆になってスキャンされたこと、画像が傾いてスキャンされたこと等）を示す情報である。本実施形態では、失敗情報としてスキャン画像の状況に対応して設定されたコードを送信する。例えば、コードは、「０１」が過去に原稿の天地が逆にスキャンされたことがあることを示し、「０２」が過去に原稿が傾いてスキャンされたことがあることを示すように設定できる。コードを送信することにより送信データ量を低減できる。なお、失敗情報は、過去のスキャン状況に応じて設定されたデータであれば、スキャン状況を通知するメッセージや、スキャン状況に応じた注意を喚起するためのメッセージをであってもよい。
【００２５】
ＭＦＰ５０は、情報処理端末１０からそのユーザに対する失敗情報を受信すると、その失敗情報に基いたガイダンス・メッセージを表示する（Ｓ１３）。このため、ＭＦＰ５０では、図６に示すようなコードとガイダンス・メッセージとを対応させたメッセージテーブル４１を格納している。図７に、ＭＦＰ５０の表示部５１９の表示パネル上でのガイダンス・メッセージの表示例を示す。このようなメッセージ表示により、スキャン操作においてユーザに対して注意を喚起することができる。
【００２６】
ＭＦＰ５０において、ユーザによりガイダンス・メッセージが参照され、スキャン操作が行なわれる（Ｓ１４）と、ＭＦＰ５０は原稿をスキャンし、そのスキャンした画像（スキャン画像）を所定の情報処理端末１０に送信する（Ｓ１５）。
【００２７】
情報処理端末１０では、受信したスキャン画像を文書管理ソフト２５を用いて解析し、天地判別、傾き検出等を行ない、必要に応じて補正処理を行なう（Ｓ２３）。その後、補正処理が行なわれたときは、補正処理の結果に基きユーザのスキャン履歴情報２３を更新する（Ｓ２３）。すなわち、スキャン履歴情報２３には、そのユーザによりそのＭＦＰ上で過去に天地逆にスキャンされたことや、傾いてスキャンされたことが履歴として残される。
【００２８】
なお、ＭＦＰ５０において得られたスキャン画像は、情報処理端末１０において、保管、管理されてもよいし、または、ＭＦＰ５０から他の情報処理端末１１に送信され、その端末１１で保管、管理されてもよい。
【００２９】
なお、スキャン履歴情報２３には、スキャンの結果が適正な場合の履歴も記録するようにしてもよい。その場合、失敗情報として、操作中のユーザのそのＭＦＰにおける過去のスキャン状況を失敗か否かに関わらず送信するようにしてもよい。
【００３０】
以上のように、本システムでは、ユーザが画像読み取り処理を開始する前に、ユーザの過去のスキャン処理の失敗状況に基きユーザに対して正しいスキャン画像が得られるよう注意を喚起するためのメッセージを表示する。ユーザは表示メッセージにより過去のスキャン状況を確認できるため、スキャン操作時における失敗を低減できる。
【００３１】
【発明の効果】
本発明によれば、ユーザが画像読み取り処理を開始する前に、ユーザの過去のスキャン処理の失敗状況に基きユーザに対して正しいスキャン画像が得られるよう注意を喚起するためのメッセージを表示する。これにより、ユーザは表示メッセージにより過去のスキャン状況を確認できるため、スキャン操作時における失敗を低減できる。
【図面の簡単な説明】
【図１】本発明に係る画像読み取りシステムの構成図
【図２】画像読み取りシステムを構成する情報処理端末のハードウェア構成図
【図３】画像読み取りシステムを構成するＭＦＰのハードウェア構成図
【図４】情報処理端末に保持されるユーザ情報、スキャン履歴情報及び文書管理ソフトを説明した図
【図５】画像読み取りシステムにおける処理フロー
【図６】メッセージテーブルを説明した図
【図７】ガイダンス・メッセージの表示例を示した図
【符号の説明】
１０　情報処理端末
２１　ユーザ情報
２３　スキャン履歴情報
２５　文書管理ソフト
３０　ネットワーク
５０　ＭＦＰ（マルチファンクションペリフェラル）
【図１】
2004104229.tif 000003
【図２】
2004104229.tif 000004
【図３】
2004104229.tif 000005
【図４】
2004104229.tif 000006
【図５】
2004104229.tif 000007
【図６】
2004104229.tif 000008
【図７】
2004104229.tif 000009